(57)【要約】      （修正有）【課題】断熱折版屋根構造において発生する板鳴りを防止する断熱屋根用吊子金具において、従前の堅牢構造を踏襲すると共に、既存部品を有効に利用することができる吊子金具を提供する。【解決手段】下層部材への装着構造を備えたサドル部と、サドル部上部の断熱部１２に挟持固定されている吊子部２で構成され、吊子部が、上面部２１１が屋根板受け部となる逆Ｌ状に屈曲した基板と、所定形状の頂部を有する吊子２３と、補強連結板２２とを備え、基板下方部分を対向断熱部間に挟持固定すると共に、縦板部に横長孔２１３を設け、樹脂製スライド体２４を横長孔に装着すると共に、吊子を装着した補強連結板の縦板部を、スライド体の一側に添わせて、スライド自在に装着してなる。【選択図】図１
0003162328.tif 000002
【実用新案登録請求の範囲】
【請求項１】
下層部材への装着構造を備えたサドル部と、サドル部の上部に上層屋根板の結合方向左右で対向する断熱部に挟持固定されている吊子部で構成される断熱屋根用吊子金具であって、吊子部が、上面部が屋根板受け部となる逆Ｌ状に屈曲した基板と、上層屋根材の連結形状に対応した頂部を有する吊子と、逆Ｌ状に屈曲した補強連結板とを備え、基板の縦板部の下方部分を対向断熱部間に挟持固定すると共に、縦板部に横長孔を設け、２個を対向させてＨ状に組み立てられる樹脂製のスライド体を、前記横長孔の表裏から装着すると共に、吊子を装着した補強連結板の縦板部を、前記スライド体の一側面に添わせて、スライド体を貫通して一体化するボルトを用いて装着してなる断熱屋根用吊子金具。
【請求項２】
補強連結板の前後側端縁を折曲して補強リブとしてなる請求項１記載の断熱屋根用吊子金具。
【請求項３】
サドル部が、下層部材を挟持して装着する一対の挟持部材で構成される請求項１又は２記載の断熱屋根用吊子金具。
【請求項４】
サドル部が、折版屋根形状の下層部材に被冠して装着する山形状の部材で構成される請求項１又は２記載の断熱屋根用吊子金具。
【請求項５】
吊子をＬ状板とし、底面板部を補強連結板の横板部に固着して構成される請求項１乃至４記載の何れかの断熱屋根用吊子金具。
【請求項６】
吊子の頂部に連続する縦板部を、補強連結板の縦板部と一緒にスライド体に装着して構成される請求項１乃至４記載の何れかの断熱屋根用吊子金具。
【考案の詳細な説明】
【技術分野】
【０００１】
本考案は、主として断熱折版屋根に使用する断熱屋根用吊子金具に関するものである。
【背景技術】
【０００２】
断熱折版屋根は、下層部材（改修屋根における既存屋根葺面や、二重折版屋根構造における下層屋根葺材等）に吊子金具を起立させて装着し、下層部材上に断熱材を敷きこむと共に、前記吊子に上層屋根材を装着して屋根葺きを行って形成してなるものである。
【０００３】
この吊子金具は、下層部材への装着構造を備えたサドル部と、前記サドル部材の上方に組み込んだ吊子を有する吊子部とで構成されているものである。
【０００４】
ところで、前記の断熱折版屋根構造（金属板葺屋根構造）において、当然上層部材である屋根板は、外気温の影響を受けて熱伸縮が繰り返し行われることになる。これに対して吊子は、熱遮断された下層部材に装着固定されているので、上層屋根部材と吊子の間には前記の熱伸縮によるズレが生ずることになる。この結果ズレを解消するために、両者間に摩擦移動が生じ、これに伴って摩擦音が発生する。また前記のズレによって生じた撓みを解消するために一気に屋根板が移動する際に生ずる反転音及び衝撃音が発生する（板鳴り現象）。
【０００５】
この板鳴り現象を解消する手段として、特許文献１（特開２００５−２９９２６３号公報）には、上層屋根材と当接する吊子の表面に、非金属性軟質材を被覆することを提案している。
【０００６】
また特許文献２（特開２００６−１６９０４号公報）には、下層部材に固定する固定部材と、該固定部材上に取付けられる断熱部材と、断熱部材上に吊子とを有し、断熱部材に摺動溝を形成して吊子を屋根板の長さ方向に摺動可能に保持すると共に、吊子及び摺動溝に吊子の上方への抜け止め構造を採用しているものである。
【先行技術文献】
【特許文献】
【０００７】
【特許文献１】特開２００５−２９９２６３号公報。
【特許文献２】特開２００６−１６９０４号公報。
【考案の概要】
【考案が解決しようとする課題】
【０００８】
板鳴り防止対策の金具構造として、前記したように吊子表面に非金属性軟質材を被覆する手段は、樹脂被膜を均一の厚さにする必要がある。樹脂被膜が非均一であると折版屋根の連結に不具合が生じ、またその精度を求めると製造コストが高くなる。更に樹脂被膜を薄く形成すると、厚さ精度を容易に設定できるが、摩擦を受ける個所であり経年変化によって摩耗してしまい、板鳴り防止効果が低下する虞もある。
【０００９】
また特許文献２に開示されているように、吊子自体をスライド自在に組み込むと共に、上方への抜け止め構造を備えるような断熱部材（樹脂性部材）は、その製造が煩瑣であると共に、吊子との連結の堅牢性が不足する。
【００１０】
そこで本考案は、堅牢な折版屋根に一般的に採用されているように、タイトフレームの頂部に段差を設け、当該段差個所に補強座金等使用して吊子を強固に装着している公知構造に対応して、既存の吊子（部品）をそのまま使用することのできる新規な断熱屋根用吊子金具を提案したものである。
【課題を解決するための手段】
【００１１】
本考案に係る断熱屋根用吊子金具は、下層部材への装着構造を備えたサドル部と、サドル部の上部に上層屋根板の結合方向左右で対向する断熱部に挟持固定されている吊子部で構成される断熱屋根用吊子金具であって、吊子部が、上面部が屋根板受け部となる逆Ｌ状に屈曲した基板と、上層屋根材の連結形状に対応した頂部を有する吊子と、逆Ｌ状に屈曲した補強連結板とを備え、基板の縦板部の下方部分を対向断熱部間に挟持固定すると共に、縦板部に横長孔を設け、２個を対向させてＨ状に組み立てられる樹脂製スライド体を、前記横長孔の表裏から装着すると共に、吊子を装着した補強連結板の縦板部を、前記スライド体の一側に添わせて、スライド体を貫通して一体化するボルトを用いて装着してなることを特徴とするものである。
【００１２】
而して下層部材にサドル部で装着固定した後、吊子に従前通り折版屋根材（上層屋根材）を装着して屋根葺きを行うもので、上層屋根部材とサドル部を装着固定している下層部材との間に熱伸縮によるズレが生じたとしても、吊子が基板の縦板部の横長孔に添ってスライド自在に設けられているので、上層屋根材の熱伸縮に伴って吊子も移動することになり、前記の熱伸縮を原因とする板鳴りを防止できたものである。
【考案の効果】
【００１３】
本考案の構成は上記のとおりの構成で、サドル部及び吊子は、従前の部品をそのまま採用することができると共に、従前の堅牢タイプの構造をそのまま踏襲して、板鳴りを防止することができたものである。
【図面の簡単な説明】
【００１４】
【図１】本考案の第一実施形態の全体斜視図。
【図２】同正面図。
【図３】同吊子部のスライド動作部分の分解斜視図。
【図４】同側面図（スライド動作説明図）。
【図５】同の第二実施形態の全体斜視図。
【図６】同正面図。
【図７】同の第三実施形態の全体斜視図。
【考案を実施するための形態】
【００１５】
次に本考案の実施形態（第一実施形態）について説明する。実施形態に示した断熱屋根用吊子金具は、サドル部１と、吊子部２で構成され、サドル部１は従前の断熱屋根用吊子金具のサドル部と同様の構成を採用しているものである。
【００１６】
即ちサドル部１は、対向する一対の挟持体１１と、挟持体１１の上方対向面に設けた断熱部１２と、挟持体１１を挟圧する貫通ボルト１３及び前記ボルト１３に螺合する緊締ナット１４と、挟持体１１の上方部分及び断熱部１２を貫通して、後述する基板２１を断熱部１２に挟持して固着する吊子部固定ボルト１５及び前記固定ボルト１５に螺合装着する固定ナット１６で構成されるものである。
【００１７】
また挟持体１１は、下方部分を足状に形成して載置部１１１を設けると共に、載置部１１１の対向縁に挟持部１１２を設けてなるものである。
【００１８】
吊子部２は、基板２１と、補強連結板２２と、吊子２３と、スライド体２４を備えてなり、基板２１は、上面部２１１が屋根板受け部となる逆Ｌ状に屈曲し、縦板部２１２の下方部分を対向する断熱部１２の間に挟持すると共に、吊子部固定ボルト１５及び固定ナット１６で固定するものである。更に前記の縦板部２１２の適宜個所に、横長孔２１３を形成するものである。
【００１９】
補強連結板２２は、逆Ｌ状に屈曲し、前後側端縁２２１を折曲して補強リブとしてなるもので、縦板部２２２は、基板２１への取付面としてボルト孔２２３を穿設し、上面部２２４は、吊子２３の取付面としたものである。
【００２０】
吊子２３は、従前の部品をそのまま採用することができるもので、上層屋根材Ｂの連結構造に対応した形状の頂部２３１を備えたもので、所定高さの縦板部２３２と、取り付け用の横板部２３３を備え、前記横板部２３３にボルト孔２３４を設け、取付ボルト２３５及び取付ナット２３６で補強連結板２２の上面部２２４に固着するものである。
【００２１】
スライド体２４は、同一形状の部品２個を対向させてＨ状に組み立てて形成するもので、前記部品は、樹脂製で横長孔２１３の上下幅より大きい高さのベース板部２４１に、横長孔２１３に略密挿される大筒部２４２と、前記大筒部２４２に装着される小筒部２４３を設けたもので、横長孔２１３を挟む様に前記部材を組み合わせ、一外側面に補強連結板２２の縦板部２２２を添わせ、ボルト孔２２３と小筒部２４３を貫通する装着ボルト２４４と装着ナット２４５で、基板２１の縦板部２１２に、横長孔２１３を自由に移動できるように装着するものである。
【００２２】
而して前記金具は、下層部材Ａにサドル部１を載置し、下層部材Ａの所定個所（ハゼ部）を挟持体１１の挟持部１１２で挟持して固定した後、下層部材Ａ上に断熱材を敷設し、その上に従前の通り上層屋根材Ｂの結合個所を装着して屋根葺きを行うもので、吊子２３が補強連結板２２及びスライド体２４と一体となって、基板２１の縦板部２１２の横長孔２１３に添ってスライド自在であり、而も横長孔２１３と接する個所は樹脂製のスライド体２４のみであるから摩擦抵抗が少なく、上層屋根材Ｂが熱伸縮を起こしても、それに伴って吊子２３も容易に移動することになり、熱伸縮を原因とする板鳴りを防止できたものである。
【００２３】
而も構造的には従前の器具の堅牢性を損なうことなく、また従前の部品をそのまま使用することができる利点をも有するものである。特に吊子の頂部形状は、上層屋根部材Ｂの結合構造に対応して種々の形状のものが多用されているが、当該上層屋根部材Ｂに対応する従前の吊子をそのまま使用することができるものである。
【００２４】
また本考案は前記実施形態に限定されるものではなく、例えば図５，６に例示する第二実施形態のように、補強連結板２２ａを基板２１と同様に上面部２２４ａが上層屋根材Ｂの載置面となるように、吊子２３の縦板部２３２を、補強連結板２２ａの縦板部２２２に添わせてスライド体２４と挟持するように組み込んでも良い。
【００２５】
さらにサドル部も下層部材Ａの構造に対応して任意に定めることができるものである。例えば図７で示す第三実施形態のように、サドル部１ａが、挟持体１１に変えて、板折版屋根形状の下層部材に被冠して装着する山形状の部材（連結板体１７）で構成するようにしても良い。
【符号の説明】
【００２６】
１，１ａ      サドル部
１１    挟持体
１１１    載置部
１１２    挟持部
１２    断熱部
１３    貫通ボルト
１４    緊締ナット
１５    吊子部固定ボルト
１６    固定ナット
１７    連結板体
２      吊子部
２１    基板
２１１    上面部
２１２    縦板部
２１３    横長孔
２２，２２ａ    補強連結板
２２１    側端縁
２２２    縦板部
２２３    ボルト孔
２２４，２２４ａ    上面部
２３    吊子
２３１    頂部
２３２    縦板部
２３３    横板部
２３４    ボルト孔
２３５    取付ボルト
２３６    取付ナット
２４    スライド体
２４１    ベース板部
２４２    大筒部
２４３    小筒部
２４４    装着ボルト
２４５    装着ナット
【図１】
0003162328.tif 000003
【図２】
0003162328.tif 000004
【図３】
0003162328.tif 000005
【図４】
0003162328.tif 000006
【図５】
0003162328.tif 000007
【図６】
0003162328.tif 000008
【図７】
0003162328.tif 000009